(57)【要約】【課題】移動体の目的地に応じたサービスを地上のシステムから提供すると、移動体とネットワークの通信が不可能な状態になるとサービスを継続できない。【解決手段】移動システム２が固定システム１と通信できない状況に陥り、移動体の目的地や乗客の目的地の変更があっても、あらかじめ移動体が移動する可能性がある地域に関係する情報を運行時情報生成サーバ９で生成し、固定システム１と移動体システム２が通信可能な状態にあるときに、移動体の運行時情報提供サーバ１０に搭載しておくことにより、移動体の目的地が運行時に変更してもサービスを継続して提供できる。【選択図】図１
2014222375.tif 000002
【特許請求の範囲】
【請求項１】
地上に設置された固定システムと移動体システムから構成され、
前記固定システムは、
少なくとも１つのサービス事業者からサービス情報を受け取るサービス情報取得インタフェースと、
前記サービス事業者に移動体内で提供されたサービスの実績情報を提供する実績情報提供インタフェースを備え、
前記移動体が使う情報を、あらかじめ前記移動体に設定された所定の目的地や経由地、その他運行する可能性のある目的地や経由地に関する情報に基づいて選別し、前記固定システムと前記移動体システムとが通信可能な状態にあるときに前記移動体システムに運行時サービス情報として提供する運行時サービス情報提供インタフェースを備え、
前記移動体システムは、
前記固定システムと前記移動体システムとが通信可能な状態にあるときに移動体内で提供されたサービスの実績情報を前記固定システムに運行時実績情報として提供する運行時実績情報取得インタフェースを備える情報提供システム。
【請求項２】
前記移動体システムは、
前記移動体自身の運行システムから得られる現在の目的地や経由地、現在位置等の位置情報や、乗客に対する乗員からの指示情報、乗客の端末の状態情報を取得し、
前記固定システムの運行時サービス情報提供インタフェースから取得した運行時サービス情報を検索し、移動体や乗客の状態に応じたサービス情報を乗客の座席毎に配置した表示装置に表示するとともに、
乗客が利用したサービスを座席毎に記録し、前記固定システムと前記移動体システムとが通信可能な状態にあるときに移動体内で提供されたサービスの運行時実績情報を集計して前記固定システムの運行時実績情報取得インタフェースを用いて送付する請求項１記載の情報提供システム。
【請求項３】
前記固定システムは、
複数の前記移動体から提供された前記運行時実績情報を集計して、前記サービス事業者に前記実績情報提供インタフェースを介して送付することを特徴とする請求項２記載の情報提供システム。
【発明の詳細な説明】
【技術分野】
【０００１】
本開示は、出発地と目的地を持つ移動体の乗客に情報を提供する移動体向け情報提供システムに関する。
【背景技術】
【０００２】
特許文献１は、車両などの移動体内で情報を表示する情報表示システムに係り、特に、座席毎に配置した表示装置に乗客の到着目的地等に応じた情報を表示する情報表示システムに関し、座席の予約情報を利用して、到着目的地別の情報提供サービスを行うことが示されている。
【先行技術文献】
【特許文献】
【０００３】
【特許文献１】特許第４８６０２８１号公報
【発明の概要】
【発明が解決しようとする課題】
【０００４】
しかしながら、先行技術文献では、乗客の乗車区間が決まった時点で列車のサーバに乗客に表示する情報を保持するため、列車に乗車中の乗客が目的地を変更したり、列車自身の目的地が変更された場合、列車のサーバと交通事業者のシステム間の通信が安定していないと、列車のサーバの情報を更新してサービスを継続することは困難である。
【０００５】
本開示は、先行技術文献に記載された列車のような移動体と、同様に先行技術文献に記載された交通事業者のシステムのような固定システム間の通信が常に安定して通信できない状況下でも、運行中の乗客の目的地の変更や、移動体自身の目的地の変更などの状況変化によらず、乗客に対するサービスを継続して提供することを目的とする。
【課題を解決するための手段】
【０００６】
本開示にかかる移動体向け情報提供システムは、地上に設置された固定システムと移動体システムから構成され、固定システムは、少なくとも１つのサービス事業者からサービス情報を受け取るサービス情報取得インタフェースと、サービス事業者に移動体内で提供されたサービスの実績情報を提供する実績情報提供インタフェースを備え、地上に設置された固定システムとの通信が安定して行えない移動体が使う情報を、あらかじめ移動体が設定された所定の目的地や経由地、その他運行する可能性のある目的地や経由地に関する情報を選別し、通信可能な状態にあるときに移動体に運行時サービス情報として提供する運行時サービス情報提供インタフェースを備え、また同様に通信可能な状態にあるときに移動体内で提供されたサービスの実績情報を固定システムに運行時実績情報として提供する運行時実績情報取得インタフェースを備える。
【０００７】
移動体システムは、移動体自身の運行システムから得られる現在の目的地や経由地、現在位置等の位置情報や、乗客に対する乗員からの指示情報、乗客の端末の状態情報を取得し、固定システムの運行時サービス情報提供インタフェースから取得した運行時サービス情報を検索し、移動体や乗客の状態に応じたサービス情報を乗客の座席毎に配置した表示装置に表示するとともに、乗客が利用したサービスを座席毎に記録し、通信可能な状態にあるときに移動体内で提供されたサービスの実績情報を集計して固定システムの運行時実績情報取得インタフェースを用いて実績情報を送付する。
【０００８】
固定システムは、複数の移動体から送付された運行時実績情報を集計して、各サービス事業者にサービス提供実績を実績情報提供インタフェースを介して送付する。
【発明の効果】
【０００９】
本開示にかかる移動体向け情報提供システムにより、移動体が固定システムと通信できない状況で、移動体の目的地や乗客の目的地の変更があっても、目的地に応じたサービスを継続して提供できる。
【図面の簡単な説明】
【００１０】
【図１】本実施形態に係る移動体内情報提供装置を説明する図
【図２】図１に示すシステムの各構成要素間の運用を説明する図
【図３】図１に示すシステムのデータベースの所在を示す図
【図４】データベースの内容を示す図
【図５】データベースの内容を示す図
【図６】データベースの内容を示す図
【図７】データベースの内容を示す図
【図８】データベースの内容を示す図
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、出願人は、当業者が本開示を十分に理解するために添付図面および以下の説明を提供するのであって、これらによって特許請求の範囲に記載の主題を限定することを意図するものではない。
【００１３】
（実施の形態１）
以下、図１〜８を用いて、実施の形態１について説明する。
［１−１．構成］
図１は、実施の形態１にかかる移動体向け情報提供システムを示す図である。図１に示すように、本システムには広告主、移動体事業者、乗客が関連する。
【００１４】
移動体向け情報提供システムは、地上に設置された固定システム１と移動体システム２から構成される。固定システム１と、移動体システム２は、ネットワーク３で接続される。
【００１５】
固定システム１と移動体システム２の間には、少なくとも固定システム１が生成した移動体毎の運行時サービス情報を、該当する移動体に提供する運行時サービス情報提供インタフェースを備える。
【００１６】
さらに、移動体システム２で提供されたサービスに関する実績情報を、移動体の識別子とともに固定システム１に提供する実績情報集計インタフェースを備える。
【００１７】
固定システム１は、少なくとも１つのサービス事業者とネットワーク４で接続され、サービス情報を受け取るサービス情報取得インタフェースを持つ。
【００１８】
本実施例では、サービスの形態として広告サービスを前提に記述する。しかしながら、本開示の適用例は、広告サービスにとどまらず、他のサービスでも適用可能であるので、提供するサービスを広告サービスに限定するものではない。
【００１９】
本実施例では、サービス事業者は広告主と、広告を表示する枠を保有する移動体事業者の２者である。広告主は複数存在してもよいし、移動体事業者も複数存在してもよいが、説明の便宜上、広告主は１つ、移動体事業者も１つとして説明する。
【００２０】
広告主は広告主端末５を保有し、移動体の乗客に提供する広告サービスの情報を、広告主端末５を介して入力する。
【００２１】
移動体事業者は、移動体事業者端末６を保有し、移動体の運行に関する情報を、移動体事業者端末６を介して入力する。
【００２２】
固定システム１は、ネットワーク４を介して広告主に対してサービス情報を受け取るサービス情報取得インタフェースとなり、かつ受け取った広告サービスの情報を格納する広告受付管理サーバ７と、ネットワーク４を介して移動体事業者に対してサービス情報を受け取るサービス情報取得インタフェースとなり、かつ受け取った移動体に関する情報を格納する運行情報受付管理サーバ８を備える。
【００２３】
さらに、移動体の識別子が与えられたら、運行情報受付管理サーバ８からその移動体の識別子に該当する移動体の目的地や経由地、その他運行する可能性のある目的地や経由地に関する運行情報を取得し、その運行情報に基づいて広告受付管理サーバ７から広告サービス情報を選別して運行時サービス情報を生成する運行時情報生成サーバ９を備える。
【００２４】
さらに、移動体システム２から移動体の識別子とともに与えられる移動体内でのサービス実績情報を格納する実績情報集計サーバ１４を備える。
【００２５】
移動体システム２は、乗客に対するサービス情報を表示する表示端末１２と、移動体の現在の位置や目的地の情報、移動体の現在の速度や移動の方角、緯度や経度や高度などの状態や、乗客の表示端末１２の状態をモニタしている運行システム１１と、ネットワーク３を介して提供される移動体毎の運行時サービス情報を受け取る運行時サービス情報提供インタフェースとなり、かつ受け取った運行時サービス情報を格納し、運行システム１１からの情報に従って表示端末１２に表示するサービス情報を生成する運行時情報提供サーバ１０と、ネットワーク３を介して提供される実績情報集計インタフェースとなり、かつ乗客の表示端末１２でのサービス利用状況を集計し、移動体の識別子情報とともに固定システム１の実績情報集計サーバ１４に提供する運行時実績集計サーバ１３を備える。
【００２６】
図２、図３は、図１に示す移動体向け情報提供システムの運用方法を説明する図である。図２の太線２０１から２１１はシステムの各構成要素間のデータの流れを示し、図３の３１から３５はサーバ等が保持するデータベースを示す。
【００２７】
データベースの内容は、図４、図５、図６、図７、図８に各データベースの番号とともに示す。
【００２８】
図４は広告受付管理サーバ７が持つデータベース３１の内容を示し、図５は運行情報受付管理サーバ８が持つデータベース３２の内容を示し、図６は運行時情報提供サーバ１０が持つデータベース３３の内容を示し、図７は運行時実績集計サーバ１３が持つデータベース３４の内容を示し、図８は実績情報集計サーバ１４が持つデータベース３５の内容を示す。
［１−２．動作］
まず広告主は、移動体内の広告サービス提供に必要な情報を作成する。広告サービス提供に必要な情報を、矢印２０１に沿って広告受付管理サーバ７に登録する。登録する内容は、図４に示す内容であり、例えば広告主情報（会社名、決済情報）、広告価格（１回表示あたりの金額や、１回乗客が広告にアクセスした場合の金額等）、有効期間（その広告が有効な期間）、提示条件、コンテンツ情報（広告データの情報）である。その他、広告の属性として広告主が指定した情報を入力することも可能であるが、本実施例では省略する。
【００２９】
広告受付管理サーバ７は、広告主から広告サービス情報が提供されると、それを一意に区別する広告ＩＤを発行し、データベース３１に記憶する。（ステップ１）
広告主が指定する提示条件は、その広告が該当する地域や、その広告が対象とする人の属性、広告に掲載されている商品の情報等が含まれる。
【００３０】
広告が対象とする人の属性には、年齢、年収情報、居住地、興味を持っている対象を表すキーワードなどを指定することができる。
【００３１】
広告主の決済情報は、例えば決済に使用する口座情報などである。
【００３２】
次に、移動体事業者は、自身が運行している移動体の運行情報を、移動体事業者端末６から矢印２０２に沿って運行情報受付管理サーバ８に登録する。登録する内容は、図５に示す内容であり、例えば移動体事業者情報（会社名、決済情報）、移動体情報（移動体識別子、出発地、目的地、経由地、経由候補地、運行日時）、広告枠情報（サイズ、座席クラス、広告枠が設置されている領域に関する画面構成を表す表示画面情報等の情報）である。（ステップ２）
広告枠が設置されている領域に関する画面構成を表す表示画面情報とは、広告枠が置かれている画面が、例えば乗客が着席した時に表示されるポータル画面であるか、あるコンテンツ群の一覧を表示しているメニュー画面であるか、映像や音楽などのコンテンツを視聴している画面であるか、あるいは映像や音楽などのコンテンツを視聴している際に乗客が操作した時に表示される制御パネル画面であるか、等の画面の構成を表す情報である。
【００３３】
また、本表示画面情報を選択する際に、移動体事業者は、広告枠に表示される広告が、その広告枠が置かれている画面の状態に関連したものを表示するように指定することもできる。
【００３４】
経由候補地とは、その移動体が当初の予定を変更して経由する可能性のある経由地の情報である。
【００３５】
移動体事業者の決済情報は、例えば決済に使用する口座情報などである。
【００３６】
表示画面情報とは、広告枠ＩＤに該当する広告枠が置かれている画面のタイトルや、画面に含まれている情報のキーワードの一覧等である。
【００３７】
次に、運行情報受付管理サーバ８は、移動体事業者から運行情報が提供されると、それを一意に区別する運行ＩＤを発行し、データベース３２に記憶する。（ステップ３）
次に、移動体２がネットワーク３を介して固定システム１と通信可能な状況にあるときに、移動体２の運行時情報提供サーバ１０は、固定システム１の運行時情報生成サーバ９に、自身の移動体識別子に基づいた情報リクエストを送信する（ステップ４）。
【００３８】
次に、移動体２からの情報リクエストを受信した運行時情報生成サーバ９は、運行時情報の生成を開始する（ステップ５）。
【００３９】
次に、運行時情報生成サーバ９は、矢印２０４に従って運行情報受付管理サーバ８に、移動体２から受信した移動体識別子に該当する運行情報を要求する（ステップ６）。
【００４０】
次に、運行情報受付管理サーバ８は、データベース３２を運行時情報生成サーバ９から与えられた移動体識別子で検索し、該当する移動体識別子の出発地、目的地、経由地、経由候補地、運行日時の情報を運行時情報生成サーバ９に返す（ステップ７）。
【００４１】
次に、運行情報受付管理サーバ８は、データベース３２を運行時情報生成サーバ９から与えられた移動体識別子で検索し、該当する移動体識別子が持つ広告枠ＩＤの一覧（図５の３２−（ｄ））を運行時情報生成サーバ９に返す（ステップ８）。
【００４２】
次に、運行時情報生成サーバ９は、ステップ４で運行情報受付管理サーバ８から受け取った該当する移動体識別子の出発地、目的地、経由地、経由候補地、運行日時の情報を用い、広告受付管理サーバ７の広告を検索する（ステップ９）。
【００４３】
次に、広告受付管理サーバ７は、データベース３１を検索し、移動体の運行日時が、運行時情報生成サーバ９の保持するデータベースの有効期間内にあり、出発地、目的地、経由地、経由候補地が、運行時情報生成サーバ９の保持するデータベースの提示条件に合致する広告ＩＤを抽出し、抽出した広告ＩＤ一覧およびコンテンツ情報一覧および提示条件一覧を、広告受付管理サーバ７に返す（ステップ１０）。
【００４４】
次に、運行時情報生成サーバ９は、ステップ７で取得した各広告ＩＤの提示条件と、ステップ６で取得した移動体の出発地、目的地、経由地、経由候補地を参照し、表示トリガ情報を生成する（ステップ１１）。
【００４５】
表示トリガ情報の一例を図６の３３−（ｃ）に示す。例えば、広告ＩＤの提示条件が、「地域ＸＸに向かう移動体の乗客に提示すること」であれば、移動体の目的地あるいは経由地あるいは経由候補地が地域ＸＸに含まれる場合、表示トリガとして「地名ＸＸに距離ＺＺ以下に接近した時」がその広告ＩＤに設定される。距離ＺＺは、移動体の種別（自動車、船舶、航空機等）によって、意味のある距離であれば適当にシステムが設定してよい。
【００４６】
また、例えば、広告ＩＤの提示条件が、「乗客の年収が比較的高い乗客に提示」であれば、表示トリガとして「ビジネスクラス以上から広告リクエストがあった場合」がその広告ＩＤに設定される。
【００４７】
また、例えば、広告ＩＤの提示条件が、「運行開始後ＸＸ分からＸＸ分以内」であれば、表示トリガとして「運行開始後ＸＸ分からＸＸ分以内に広告リクエストがあった場合」に設定される。
【００４８】
また、例えば、広告ＩＤの提示条件が、「ＸＸ情報と関連付けて表示」であれば、表示トリガとして、「広告枠が設置されている画面に、ＸＸの情報が置かれている場合」に設定される。
【００４９】
この表示トリガ条件は、１つのトリガに対して複数の条件が設定されてもよく、またそれらの論理和や、論理積を設定してもよい。
【００５０】
次に、運行時情報生成サーバ９は、抽出した広告ＩＤ毎に、ステップ７で取得したコンテンツ情報と、ステップ８で生成した対応する広告ＩＤ毎の表示トリガ情報を、データベース３３のコンテンツ情報テーブルである図６の３３−（ａ）に格納する（ステップ１２）。
【００５１】
次に、運行時情報生成サーバ９は、矢印２０４に従って運行情報受付管理サーバ８に、移動体システム２から受信した移動体識別子に該当する広告枠情報を要求する（ステップ１３）。
【００５２】
次に、運行情報受付管理サーバ８は、受信した移動体識別子でデータベース３２を検索し、移動体識別子が持つ広告枠ＩＤ、サイズ、広告枠が表示される座席クラス情報、広告枠が設置されている画面に関する情報を運行時情報生成サーバ９に返し、運行時情報生成サーバ９は、受け取った情報を、データベース３３の広告枠情報テーブルである図６の３３−（ｂ）に格納する（ステップ１４）。
【００５３】
次に、移動体が運行を開始すると、運行システム１１から運行開始トリガが運行時情報提供サーバ１０に矢印２０６に従って入力され、運行時情報提供サーバ１０が動作を開始する（ステップ１５）。
【００５４】
次に、運行システム１１は移動体の運行状況を監視し、緯度、経度、高度などで表される移動体の地理情報を運行時情報提供サーバ１０に入力する（ステップ１６）。
【００５５】
次に、乗客の表示端末１２の操作等によって表示端末１２の画面情報が更新されると、画面上に広告枠ＩＤが存在する場合、表示端末１２から矢印２０７に従って広告枠ＩＤとともに広告リクエストが運行時情報提供サーバ１０に送られる（ステップ１７）。
【００５６】
次に、運行時情報提供サーバ１０は、広告枠ＩＤを受信すると、データベース３３から該当する広告枠ＩＤのサイズ、座席クラス情報、表示画面情報を取得し、かつステップ１３で入手した移動体の地理情報を使用し、データベース３３に保存された図６の３３−（ａ）のテーブルの表示トリガ情報の条件に合致する広告ＩＤを検索する（ステップ１８）。
【００５７】
次に、表示トリガ情報に合致する広告ＩＤが見つかった場合、運行時情報提供サーバ１０は、ステップ１４で受信した広告リクエストに対する応答として、その広告枠ＩＤに合致するサイズに合わせたコンテンツ情報を返す（ステップ１９）。
【００５８】
次に、表示端末１２は、運行時情報提供サーバ１０から提供されたコンテンツ情報を用い、画面上に広告を表示する（ステップ２０）。
【００５９】
次に、表示端末１２に、広告が表示されたり、乗客が表示端末１２を操作して広告をクリックするなどの操作を行うと、移動体システム２の表示端末１２から運行時実績集計サーバ１３に、矢印２０８に従って広告ＩＤと、広告を表示した表示端末１２のＩＤと、広告に対して乗客が行った行動からなる実績情報が送付される。運行時実績集計サーバ１３は、表示端末１２から送られる実績情報を、データベース３４に記録する。（ステップ２１）
実績情報には、広告を表示した回数や、広告を表示しただけか、表示した広告に乗客がアクセスしたかどうかを示すフラグや、広告を表示した時刻や、広告を表示した座席クラス情報や、広告を表示した緯度、経度、高度などの地理情報を含んでもよい。
【００６０】
次に、移動体システム２がネットワーク３を介して固定システム１と通信可能な状況にあるときに、移動体システム２の運行時実績集計サーバ１３は、自身に登録されたデータベース３４の情報を、自身の移動体識別子とともに固定システム１の実績情報集計サーバ１４に送信する（ステップ２２）。
【００６１】
次に、実績情報集計サーバ１４は、送信された移動体識別子から運行情報受付管理サーバ８の該当する運行ＩＤを取得し、どの運行ＩＤの移動体において、どの広告ＩＤの広告が乗客に表示ないしはアクセスされたことを示す回数を集計し、データベース３５に保持する（ステップ２３）。
【００６２】
次に、実績情報集計サーバ１４は、広告主または移動体事業者からの広告ＩＤもしくは運行ＩＤに基づく実績要求に従い、広告コンテンツの回数情報もしくは自分が保有する移動体の広告枠に、どの広告が何回表示されたかに関する情報を提供する（ステップ２４）。
【００６３】
次に、実績情報集計サーバ１４は、広告受付管理サーバ７が保持する広告主の決済情報と、運行情報受付管理サーバ８が保持する移動体事業者の決済情報を利用し、広告主と移動体事業者間の広告代金決済を行う（ステップ２５）。
【００６４】
［１−３．まとめ］
以上のように、本実施の形態において、固定システム１は、サービス事業者からサービス情報を受け取るサービス情報取得インタフェースである広告受付管理サーバ７と、運行情報受付管理サーバ８と、サービス事業者に移動体内で提供されたサービスの実績情報を提供する実績情報提供インタフェースである実績情報集計サーバ１４を備え、地上に設置された固定システム１との通信が安定して行えない移動体が使う情報を、あらかじめ移動体に設定された所定の目的地や経由地、その他運行する可能性のある目的地や経由地に関する情報を選別し、通信可能な状態にあるときに移動体に運行時サービス情報として提供する運行時サービス情報提供インタフェースである運行時情報生成サーバ９を備え、また同様に通信可能な状態にあるときに移動体内で提供されたサービスの実績情報を固定システム１に運行時実績情報として提供する運行時実績情報取得インタフェースである実績情報集計サーバ１４を備える。
【００６５】
移動体システム２は、移動体自身の運行システム１１から得られる現在の目的地や経由地、現在位置等の位置情報や、乗客に対する乗員からの指示情報、乗客の端末の状態情報を取得し、固定システム１の運行時サービス情報提供インタフェースから取得した運行時サービス情報を検索し、移動体や乗客の状態に応じたサービス情報を乗客の座席毎に配置した表示端末１２に表示する運行時情報提供サーバ１０を備えるとともに、乗客が利用したサービスを座席毎に記録し、通信可能な状態にあるときに移動体内で提供されたサービスの実績情報を集計して固定システム１の運行時実績情報取得インタフェースを用いて実績情報を送付する運行時実績集計サーバ１３を備える。
【００６６】
また、固定システム１は、複数の移動体から送付された運行時実績情報を集計して、各サービス事業者にサービス提供実績を実績情報提供インタフェースを介して送付する。
【００６７】
これにより、移動体システム２が固定システム１と通信できない状況に陥り、移動体の目的地や乗客の目的地の変更があっても、あらかじめ移動体が移動する可能性がある地域の情報を移動体の運行時情報提供サーバ１０に搭載しておくことにより、移動体の目的地に応じたサービスを継続して提供できる。
【００６８】
以上のように、添付図面および詳細な説明によって、出願人がベストモードと考える実施の形態を提供した。これらは、特定の実施の形態を参照することにより、当業者に対して、特許請求の範囲に記載の主題を例証するために提供されるものである。したがって、添付図面および詳細な説明に記載された構成要素の中には、課題解決のために必須な構成要素だけでなく、それ以外の構成要素も含まれ得る。そのため、それらの必須ではない構成要素が添付図面や詳細な説明に記載されているからといって、直ちにそれらの必須ではない構成要素が必須であるとの認定を受けるべきではない。また、特許請求の範囲またはその均等の範囲において、上述の実施の形態に対して、種々の変更、置き換え、付加、省略などを行うことができる。
【産業上の利用可能性】
【００６９】
本開示は、出発地と目的地を持つ移動体の乗客に情報を提供する移動体向け情報提供システムに適用可能である。具体的には、飛行機や列車、船舶やバスなどの座席エンターテイメントシステムなどに、本開示は適用可能である。
【符号の説明】
【００７０】
１  固定システム
２  移動体システム
３  ネットワーク
４  ネットワーク
５  広告主端末
６  移動体事業者端末
７  広告受付管理サーバ
８  運行情報受付管理サーバ
９  運行時情報生成サーバ
１０  運行時情報提供サーバ
１１  運行システム
１２  表示端末
１３  運行時実績集計サーバ
１４  実績情報集計サーバ
３１、３２、３３、３４、３５  データベース
【図１】
2014222375.tif 000003
【図２】
2014222375.tif 000004
【図３】
2014222375.tif 000005
【図４】
2014222375.tif 000006
【図５】
2014222375.tif 000007
【図６】
2014222375.tif 000008
【図７】
2014222375.tif 000009
【図８】
2014222375.tif 000010